(57)【要約】【課題】異なる画像データ形式を有するＭＦＰがネットワーク上に混在している場合であっても、省電力モードのＭＦＰで保持される画像データを使用する際に、省電力モードのＭＦＰを省電力モードから通常動作モードへ復帰させることなく、画像データの使用を可能にすること。【解決手段】ベクトルデータフォーマット対応ＭＦＰのＣＰＵ１１０は、省電力状態へ移行する際、ネットワーク１０５を介して接続されている他のＭＦＰに対して、ハードディスク１０３に記憶されるベクトルデータフォーマットの画像データ及び該ベクトルデータフォーマットの画像データを変換処理して生成されたビットマップフォーマットの画像データの双方を送信する。そして、該ベクトルデータフォーマットの画像データ及びビットマップフォーマットの画像データの双方を送信した後に、省電力状態へ移行するよう制御する構成を特徴とする。【選択図】図１
2010157928.tif 000002
【特許請求の範囲】
【請求項１】
画像処理装置であって、
第１データ形式の画像データを記憶する記憶手段と、
前記記憶手段に記憶される前記第１データ形式の画像データを第２データ形式の画像データに変換する変換手段と、
省電力状態へ移行する際、ネットワークを介して接続されている他の画像処理装置に対して前記記憶手段に記憶される前記第１データ形式の画像データ及び該第１データ形式の画像データを前記変換手段により変換処理して生成された前記第２データ形式の画像データの双方を送信する送信手段と、
前記送信手段が前記第１データ形式の画像データ及び前記第２データ形式の画像データの双方を送信した後に省電力状態へ移行するよう制御する制御手段と、
を有することを特徴とする画像処理装置。
【請求項２】
前記ネットワーク上に接続されている複数の前記他の画像処理装置から、前記第１データ形式の画像データの前記第２データ形式の画像データへの変換処理が実行可能かどうかを示す変換情報及び電力状態が省電力状態か非省電力状態かを示す電力状態情報を取得する取得手段と、
前記取得手段により取得された前記変換情報及び前記電力状態情報に基づいて、前記変換処理が実行可能な非省電力状態の第１の画像処理装置が存在するか判断する第１の判断手段と、
前記取得手段により取得された前記変換情報及び前記電力状態情報に基づいて、前記変換処理が実行不能な非省電力状態の第２の画像処理装置が存在するか判断する第２の判断手段とを有し、
前記送信手段は、省電力状態へ移行する際、前記第１の判断手段により前記第１の画像処理装置が存在すると判断された場合には、該第１の画像処理装置に対して前記記憶手段に記憶される特定のデータ形式の画像データを送信した後に省電力状態へ移行し、前記第１の判断手段により前記第１の画像処理装置が存在しないと判断され、且つ前記第２の判断手段により前記第２の画像処理装置が存在すると判断された場合には、該第２の画像処理装置に対して前記記憶手段に記憶される前記第１データ形式の画像データ及び該第１データ形式の画像データを前記変換手段により変換処理して生成された前記第２データ形式の画像データの双方を送信することを特徴とする請求項１に記載の画像処理装置。
【請求項３】
前記制御手段は、前記第１の判断手段により前記第１の画像処理装置が存在しないと判断され、且つ前記第２の判断手段により前記第２の画像処理装置が存在しないと判断された場合には、前記省電力状態への移行を中止するように制御することを特徴とする請求項２に記載の画像処理装置。
【請求項４】
前記第１データ形式は、ベクトルデータ形式であり、
前記第２データ形式は、ビットマップデータ形式であることを特徴とする請求項１乃至３のいずれか１項に記載の画像処理装置。
【請求項５】
画像処理装置と、該画像処理装置とネットワークを介して接続されている他の画像処理装置とを有する画像処理システムであって、
前記画像処理装置は、
第１データ形式の画像データを記憶する第１の記憶手段と、
前記記憶手段に記憶される前記第１データ形式の画像データを第２データ形式の画像データに変換する変換手段と、
省電力状態へ移行する際、ネットワークを介して接続されている前記他の画像処理装置に対して前記記憶手段に記憶される前記第１データ形式の画像データ及び該第１データ形式の画像データを前記変換手段により変換処理して生成された前記第２データ形式の画像データの双方を送信する第１の送信手段と、
前記第１の送信手段が前記第１データ形式の画像データ及び前記第２データ形式の画像データの双方を送信した後に省電力状態へ移行するように制御する制御手段とを有し、
前記他の画像処理装置は、
前記第１の送信手段により送信された前記第１データ形式の画像データ及び前記第２データ形式の画像データの双方を受信する受信手段とを有することを特徴とする画像処理システム。
【請求項６】
前記画像処理装置は、
前記ネットワーク上に接続されている複数の前記他の画像処理装置から、前記第１データ形式の画像データの前記第２データ形式の画像データへの変換処理が実行可能かどうかを示す変換情報及び電力状態が省電力状態か非省電力状態かを示す電力状態情報を取得する第１の取得手段と、
前記第１の取得手段により取得された前記変換情報及び前記電力状態情報に基づいて、前記変換処理が実行可能な非省電力状態の第１の画像処理装置が存在するか判断する第１の判断手段と、
前記第１の取得手段により取得された前記変換情報及び前記電力状態情報に基づいて、前記変換処理が実行不能な非省電力状態の第２の画像処理装置が存在するか判断する第２の判断手段とを有し、
前記第１の送信手段は、省電力状態へ移行する際、前記第１の判断手段により前記第１の画像処理装置が存在すると判断された場合には、該他の第１の画像処理装置に対して前記第１の記憶手段に記憶される前記第１データ形式の画像データを送信した後に省電力状態へ移行し、前記第１の判断手段により前記第１の画像処理装置が存在しないと判断され、且つ前記第２の判断手段により前記第２の画像処理装置が存在すると判断された場合には、該第２の画像処理装置に対して前記第１の記憶手段に記憶される前記第１データ形式の画像データ及び該第１データ形式の画像データを前記変換手段により変換処理して生成された前記第２データ形式の画像データの双方を送信することを特徴とする請求項５に記載の画像処理システム。
【請求項７】
前記他の画像処理装置は、
前記受信手段が受信した、前記第１データ形式の画像データ及び前記第２データ形式の画像データの双方を記憶する第２の記憶手段と、
前記ネットワーク上に接続されている複数の前記他の画像処理装置から、前記変換情報及び前記電力状態情報を取得する第２の取得手段と、
前記第２の取得手段により取得された前記変換情報及び前記電力状態情報に基づいて、前記変換処理が実行可能な非省電力状態の第３の画像処理装置が存在するか判断する第３の判断手段と、
前記第３の判断手段により非省電力状態の第３の画像処理装置が存在すると判断された際に、該第３の画像処理装置に対して前記第２の記憶手段に記憶される前記第１データ形式の画像データを送信する第２の送信手段とを有する、
ことを特徴とする請求項６に記載の画像処理システム。
【請求項８】
前記制御手段は、前記第１の判断手段により前記第１の画像処理装置が存在しないと判断され、且つ前記第２の判断手段により前記第２の画像処理装置が存在しないと判断された場合には、前記省電力状態への移行を中止するように制御することを特徴とする請求項５乃至７のいずれか１項に記載の画像処理システム。
【請求項９】
前記他の画像処理装置は、前記第３の画像処理装置に対して送信した前記第１データ形式の画像データ及び前記データ形式の画像データの双方を前記第２の記憶手段から削除するように制御することを特徴とする請求項７又は８に記載の画像処理システム。
【請求項１０】
前記第１データ形式は、ベクトルデータ形式であり、
前記第２データ形式は、ビットマップデータ形式であることを特徴とする請求項５乃至９のいずれか１項に記載の画像処理システム。
【請求項１１】
画像処理装置の制御方法であって、
前記画像処理装置が備える記憶手段に記憶される第１データ形式の画像データを第２データ形式の画像データに変換する変換ステップと、
前記画像処理装置が省電力状態へ移行する際、前記画像処理装置とネットワークを介して接続されている他の画像処理装置に対して第１データ形式の画像データ及び該第１データ形式の画像データを変換処理して生成された前記第２データ形式の画像データの双方を送信する送信ステップと、
前記送信ステップにて前記第１データ形式の画像データ及び前記第２データ形式の画像データの双方を送信した後に前記画像処理装置を省電力状態へ移行させるように制御する制御ステップと、
を有することを特徴とする画像処理システムの制御方法。
【請求項１２】
請求項１１に記載された画像処理装置の制御方法をコンピュータに実行させるためのプログラム。
【発明の詳細な説明】
【技術分野】
【０００１】
本発明は、画像処理装置、画像処理システム、画像処理装置の制御方法及びプログラムに関するものである。
【背景技術】
【０００２】
コピー、ＦＡＸ、プリンタ機能を有する多機能画像処理装置（マルチファンクションプリンタ；ＭＦＰ）においては、コピー画像やＦＡＸ受信画像、パーソナルコンピュータ（ＰＣ）からのプリント画像をＭＦＰの記憶手段に保存することが行われている。そして、ＭＦＰの記憶手段に保存されたコピー画像やプリント画像を用いてユーザは所望の画像を電子メール送信やプリントすることができる。
【０００３】
近年、ＭＦＰの高機能化が進み、保存画像の高画質化、画像データ量低減、解像度非依存を実現するため、従来のビットマップフォーマットとは異なるベクトルデータフォーマットで画像を保存することが検討されている。以下、前記ベクトルデータフォーマットに対応したＭＦＰを、ベクトルデータフォーマット対応ＭＦＰと称する。また、前記従来のビットマップフォーマットに対応したＭＦＰを、ビットマップフォーマット対応ＭＦＰと称する。
【０００４】
なお、ネットワーク上にベクトルデータフォーマット対応ＭＦＰと前記ビットマップフォーマット対応ＭＦＰが混在する場合がある。なお、ビットマップフォーマット対応ＭＦＰではベクトルデータフォーマットを処理できない。一方、ベクトルデータフォーマット対応ＭＦＰでは、ベクトルデータフォーマット画像との互換性維持のためビットマップフォーマット画像とベクトルデータフォーマット画像の両方を処理可能なように開発されるのが一般的である。
【０００５】
また、ビットマップフォーマット対応ＭＦＰが、ベクトルデータフォーマットで保存された画像を処理するためには、ベクトルデータフォーマットからビットマップフォーマットへの変換が必要である。そして、この変換をベクトルデータフォーマット対応ＭＦＰ側で行う必要がある。
【０００６】
一般的なフォーマット変換を行う技術として、画像送信先のＭＦＰが処理可能なフォーマットを判別し、判別されたフォーマットへ変換した後、該変換されたフォーマットの画像、即ち送信先のＭＦＰが処理可能なフォーマットの画像を送信する技術がある。（特許文献１参照）
【特許文献１】特開２００７−１０４７１７公報
【発明の開示】
【発明が解決しようとする課題】
【０００７】
例えば、ビットマップフォーマット対応ＭＦＰが備えている操作パネルの操作によりユーザがネットワーク上の他のＭＦＰに保存されている画像のサムネイルを操作パネル上の画面に表示する場合がある（以下、サムネイル閲覧と称する）。そのような場合、ユーザがサムネイル閲覧操作を行うＭＦＰは、ビットマップフォーマット対応であるため、ネットワーク上の各ＭＦＰはビットマップフォーマットのサムネイル画像を、前記サムネイル閲覧操作が行われたＭＦＰに送信してやる必要がある。
【０００８】
上記従来の技術では、サムネイル画像の送信要求を受けたＭＦＰがベクトルデータフォーマット対応ＭＦＰの場合、該ベクトルデータフォーマット対応ＭＦＰはベクトルデータフォーマットで保存されているサムネイル画像をビットマップフォーマットに変換する。その後変換されたビットマップフォーマットのサムネイル画像をサムネイル画像の送信を要求しているビットマップフォーマット対応ＭＦＰに送信する。
【０００９】
一方、ＭＦＰはコピーやＦＡＸ、プリント動作を行っていない場合は省電力モードに移行するのが一般的である。この省電力モードに移行した際は、必要最低限の部分のみに電源供給を行い、その他の部分には電源を供給しないのが一般的である。
【００１０】
前記ベクトルデータフォーマットで保存されているサムネイル画像をビットマップフォーマットに変換する動作を制御する部分は動作時の消費電力が大きく、省電力モード時は電源を供給しない場合が多い。即ち、省電力モード時は、前記ベクトルデータフォーマットで保存されているサムネイル画像をビットマップフォーマットに変換することはできず、前記変換を行うためには省電力モードから通常動作モードに復帰する必要がある。
【００１１】
以上説明してきたように、同じネットワーク上にベクトルデータフォーマット対応ＭＦＰとビットマップフォーマット対応ＭＦＰが混在する場合、次に述べるような課題が生じる。
【００１２】
ビットマップフォーマット対応ＭＦＰがベクトルデータフォーマットで保存された画像を処理する必要がある場合（前述のサムネイル閲覧のような場合）、ベクトルデータフォーマットからビットマップフォーマットへの変換を他のベクトルデータフォーマット対応ＭＦＰにしてもらわなければならない。この際、他のベクトルデータフォーマット対応ＭＦＰが省電力モードであった場合、前記変換のために前記他のベクトルデータフォーマット対応ＭＦＰを省電力モードから通常動作モードへ復帰させてやらなければならない。したがってベクトルデータフォーマット対応ＭＦＰの消費電力が増えてしまう。
【００１３】
なお、ベクトルデータフォーマット対応ＭＦＰが省電力モードに移行する前に前記変換を行い、ビットマップフォーマットの画像を他の通常動作モードのＭＦＰに送信し、前記ビットマップフォーマットの画像を前記通常動作モードのＭＦＰに保存することも考えられる。
【００１４】
しかしながら、この方法は、ベクトルデータフォーマットではなくビットマップフォーマットでの保存のため、前述したベクトルデータフォーマットの保存画像の高画質化、画像データ量低減、解像度非依存などの優位性が損なわれてしまう。
【００１５】
例えば、ベクトルデータフォーマット対応ＭＦＰが、スリープ移行時に、自身が保持する画像データを、通常動作モード状態のビットマップフォーマット対応ＭＦＰに転送する際、ベクトルフォーマットをビットマップフォーマットに変換して転送する。
【００１６】
しかし、当該ビットマップフォーマット対応ＭＦＰが、更にスリープ移行して、更に別の装置に画像データを転送する場合、当該別の装置がベクトルフォーマット対応ＭＦＰであっても、ビットマップフォーマットの画像データしか転送されない。このため、当該別の装置では、前述したベクトルデータフォーマットによる保存画像の高画質化、画像データ量低減、解像度非依存などの優位性が損なわれてしまう。
【００１７】
本発明は、上記の問題点を解決するためになされたものである。本発明の目的は、画像処理装置が省電力状態へ移行した場合であっても画像処理装置に記憶された画像データを他の画像処理装置に送信することで、画像処理装置を省電力状態から復帰させないままとすることができるようにすることにある。また、画像処理装置に記憶された画像データの形式が第１データ形式であり、他の画像処理装置が第１の画像データ形式の画像データを扱えない場合であっても、他の画像処理装置が扱える第２データ形式に変換した上で画像データを送信することができるようにすることにある。
【課題を解決するための手段】
【００１８】
本発明は、画像処理装置であって、第１データ形式の画像データを記憶する記憶手段と、前記記憶手段に記憶される前記第１データ形式の画像データを第２データ形式の画像データに変換する変換手段と、省電力状態へ移行する際、ネットワークを介して接続されている他の画像処理装置に対して前記記憶手段に記憶される前記第１データ形式の画像データ及び該第１データ形式の画像データを前記変換手段により変換処理して生成された前記第２データ形式の画像データの双方を送信する送信手段と、前記送信手段が前記第１データ形式の画像データ及び前記第２データ形式の画像データの双方を送信した後に省電力状態へ移行するよう制御する制御手段とを有することを特徴とする。
【発明の効果】
【００１９】
本発明によれば、画像処理装置が省電力状態へ移行した場合であっても画像処理装置に記憶された画像データを他の画像処理装置に送信することで、画像処理装置を省電力状態から復帰させないままとすることができるようにすることができる。また、画像処理装置に記憶された画像データの形式が第１データ形式であり、他の画像処理装置が第１の画像データ形式の画像データを扱えない場合であっても、他の画像処理装置が扱える第２データ形式に変換した上で画像データを送信することができる。
【発明を実施するための最良の形態】
【００２０】
〔第１実施形態〕
図１は、本発明の第１実施形態における画像処理装置の構成を示す図である。
【００２１】
図１に示すように、本発明の画像処理装置は、画像処理部１００は、画像入力デバイスであるスキャナ部１０１、画像出力デバイスであるプリンタ部１０２、及び、データ記憶媒体であるハードディスク１０３等で構成される。
【００２２】
画像処理部１００は、スキャナ部１０１、プリンタ部１０２、及び、ハードディスク１０３と接続される。
【００２３】
また、画像処理部１００は、ＬＡＮ（ローカルエリアネットワーク）１０５やＦＡＸ回線１０６に接続され、ＬＡＮ１０５、或いは、ＦＡＸ回線１０６経由で外部機器とデータの送受信が可能（通信可能）である。
【００２４】
ハードディスク１０３には、システムソフトウェア、画像データ、ソフトウェアカウンタ値などが格納される。１０４は本画像処理装置の操作パネルであり、図示はしないが各種ボタンスイッチ、ＬＣＤタッチパネルなどから構成される。ユーザは、この操作パネル１０４から本画像処理装置に対して各種操作を行う。
【００２５】
１１０はＣＰＵであり、画像処理部１００のシステム動作全体を制御する。ＲＡＭ１１１は、ＣＰＵ１１０が動作するためのシステムワークメモリであり、画像データを一時記憶するための画像メモリでもある。ＲＯＭ１１２は、ブートＲＯＭであり、システムのブートプログラムが格納されている。
【００２６】
操作パネル制御部１１３は、操作パネル１０４とのインターフェースを制御する部分である。操作パネル制御部１１３は、操作パネル１０４に表示する画像データを操作パネル１０４に対して出力する。また、操作パネル制御部１１３は、操作パネル１０４からユーザが入力した情報をＣＰＵ１１０に伝える役割をする。
【００２７】
ＬＡＮ制御部１１４は、ＬＡＮ１０５に接続され、データの入出力を行う。ＬＡＮ制御部１１４には、ＬＡＮ制御用ＣＰＵ１１５が接続される。ＬＡＮ制御用ＣＰＵ１１５は、ＬＡＮ制御部１１４におけるデータの入出力を制御するＣＰＵである。
【００２８】
モデム１１６は、ＦＡＸ回線１０６に接続し、ＦＡＸデータの送受信を行う。ハードディスク制御部１１７は、ハードディスク１０３に接続され、ハードディスク１０３のデータ入出力を制御する。スキャナ・プリンタ通信制御部１３１は、スキャナ部１０１、プリンタ部１０２との通信を制御する。
【００２９】
以上のデバイス１１０〜１１７，１３１が、システムバス３２０上に配置される。
【００３０】
イメージバスＩ／Ｆ１３０は、システムバス３２０と画像データを高速で転送する画像バス１４０を接続し、データ構造を変換するバスブリッジである。画像バス１４０は、ＰＣＩバス又はＩＥＥＥ１３９４で構成される。画像バス１４０上には、以下のデバイスが配置される。
【００３１】
ラスターイメージプロセッサ（ＲＩＰ）１５０は、ＰＤＬコードをビットマップイメージに展開する。スキャナ画像処理部１５１は、入力画像データに対し補正、加工、編集を行う。プリンタ画像処理部１５２は、プリント出力画像データに対して、プリンタの補正、解像度変換等を行う。
【００３２】
画像回転部１５３は、画像データの回転を行う。画像圧縮部１５４は、多値画像データに対してはＪＰＥＧ、２値画像画像データに対してはＪＢＩＧ、ＭＭＲ、ＭＨの圧縮伸張処理を行う。デバイスＩ／Ｆ部１５５は、画像入出力デバイスであるスキャナ部１０１やプリンタ部１０２と画像処理部１００を接続し、画像データの同期系／非同期系の変換を行う。
【００３３】
図２は、本発明の画像処理装置の各部の電源供給状態を説明するための図である。
【００３４】
図２に示すように、画像処理部１００、スキャナ部１０１、プリンタ部１０２、ハードディスク１０３、操作パネル１０４には、本画像処理装置が有する電源２００から電源が供給される。
【００３５】
電源２００から画像処理部１００には、画像処理部電源２０１経由で電源が供給され、電源２００に対して電源の供給／遮断を指示することにより、画像処理部１００に対する電源の供給／遮断を制御することが可能である。
【００３６】
同様に、スキャナ部１０１、プリンタ部１０２、ハードディスク１０３、操作パネル１０４には、各々スキャナ部電源２０２、プリンタ部電源２０３、ハードディスク電源２０４、操作パネル電源２０５経由で、前記各部に対する電源の供給／遮断を制御することが可能である。
【００３７】
前述のように操作パネル１０４は、電源を遮断することが可能であるが、電源が遮断された状態であっても、操作パネル１０４が備える所定のスイッチキー操作への操作は検知可能である。
【００３８】
本画像処理装置は、電源供給状態として、非省電力状態である通常動作モード（以下非省電力モードとする）と省電力モードの２つの状態を有するものとする。
【００３９】
非省電力モードでは、図２における全ての部分に電源が供給され、本画像処理装置が有する全ての機能を実行可能である。
【００４０】
一方、省電力モードでは、図２におけるスキャナ部１０１、プリンタ部１０２、ハードディスク１０３、操作パネル１０４に対する電源は遮断される。なお、非省電力モードであっても、画像処理部１００には画像処理部電源２０１経由で電源が供給される。
【００４１】
しかし、画像処理部１００内で更に詳細な電力制御を行い、図１における画像処理部１００内各部の電源供給／遮断を制御することが可能である。例えば、省電力モードでは、画像処理部１００内のＲＡＭ１１１、ＬＡＮ制御部１１４、ＬＡＮ制御用ＣＰＵ１１５、モデム１１６に対してのみ電源が供給される。しかし、省電力モードでは、上述のＲＡＭ１１１、ＬＡＮ制御部１１４、ＬＡＮ制御用ＣＰＵ１１５、モデム１１６以外の部分の電源供給は遮断される（ＣＰＵ１１０への電源供給も遮断される）。
【００４２】
なお、非省電力モードでは、図１における画像処理部１００内の全ての部分に電源が供給される。
【００４３】
図３は、本発明の第１実施形態における画像処理装置及び画像処理システムの構成を表す図である。
【００４４】
図３において、３１０はベクトルデータフォーマット（ベクトルデータ形式（第１データ形式））対応機Ａであり、画像処理部Ａ３１１、操作パネルＡ３１２、ハードディスクＡ３１３を有しているＭＦＰである。
【００４５】
このベクトルデータフォーマット対応機Ａ３１０は、図１に示した構成を有するＭＦＰであるが、説明のため図３においては、画像処理部Ａ３１１、操作パネルＡ３１２、ハードディスクＡ３１３の部分のみ記述している。なお、画像処理部Ａ３１１、操作パネルＡ３１２、ハードディスクＡ３１３は、各々図１の画像処理部１００、操作パネル１０４、ハードディスク１０３に相当する。
【００４６】
このベクトルデータフォーマット対応機Ａ３１０は、コピー画像やＦＡＸ受信画像、ＰＣからのプリント画像を、ベクトルデータフォーマットでベクトルデータフォーマット対応機Ａ３１０のハードディスクＡ３１３に保存する。
【００４７】
３２０はベクトルデータフォーマット対応機Ｂであり、画像処理部Ｂ３２１、操作パネルＢ３２２、ハードディスクＢ３２３を有しているＭＦＰである。このベクトルデータフォーマット対応機Ｂ３２０は、ベクトルデータフォーマット対応機Ａ３１０同様、前記各種画像をベクトルデータフォーマットでハードディスクＢ３２３に保存する。
【００４８】
３３０はビットマップフォーマット（ビットマップデータ形式（第２データ形式））対応機Ｃであり、画像処理部Ｃ３３１、操作パネルＣ３３２、ハードディスクＣ３３３を有しているＭＦＰである。このビットマップフォーマット対応機Ｃ３３０は、図１に示した構成を有するＭＦＰであるが、説明のため図３においては、画像処理部Ｃ３３１、操作パネルＣ３３２、ハードディスクＣ３３３の部分のみ記述している。なお、画像処理部Ｃ３３１、操作パネルＣ３３２、ハードディスクＣ３３３は、各々図１の画像処理部１００、操作パネル１０４、ハードディスク１０３に相当する。
【００４９】
このビットマップフォーマット対応機Ｃ３３０は、コピー画像やＦＡＸ受信画像、ＰＣからのプリント画像を、前記ベクトルデータフォーマットとは異なるビットマップフォーマットでビットマップフォーマット対応機Ｃ３３０のハードディスクＣ３３３に保存する。
【００５０】
３４０はビットマップフォーマット対応機Ｄであり、画像処理部Ｄ３４１、操作パネルＤ３４２、ハードディスクＤ３４３を有しているＭＦＰである。このビットマップフォーマット対応機Ｄ３４０は、ビットマップフォーマット対応機Ｃ３３０同様、前記各種画像をビットマップフォーマットでハードディスクＤ３４３に保存する。
【００５１】
ベクトルデータフォーマット対応機Ａ３１０、ベクトルデータフォーマット対応機Ｂ３２０、ビットマップフォーマット対応機Ｃ３３０、ビットマップフォーマット対応機Ｄ３４０は、ＬＡＮ１０５に接続されている。ＬＡＮ１０５上には図示はしないがその他ＰＣ、サーバなどが接続されている。
【００５２】
ベクトルデータフォーマット対応機Ａ３１０の画像処理部Ａ３１１、ベクトルデータフォーマット対応機Ｂ３２０の画像処理部Ｂ３２１は、ベクトルデータフォーマットでの画像処理だけでなく、ビットマップフォーマットでも所定の処理を行うことが可能である。具体的には、前記所定処理とは、ベクトルデータフォーマット画像処理、及び、ベクトルデータフォーマット画像のビットマップフォーマットへの変換（ビットマップフォーマットへの変換処理）などである。なお、前記ベクトルデータフォーマット画像処理、及び、ビットマップフォーマットへの変換処理は、図１におけるＣＰＵ１１０（ＲＯＭ１１２に格納されるプログラムに基づいて動作する）の指示に基づきＲＩＰ１５０部において実行される。
【００５３】
なお、前述したように、省電力モード時においては、ＣＰＵ１１０、ＲＩＰ１５０への電源が遮断される。このため、省電力モード時においては、ベクトルデータフォーマット対応機Ａ３１０、ベクトルデータフォーマット対応機Ｂ３２０は、前記ベクトルデータフォーマット画像処理、及び、ビットマップフォーマットへの変換処理を行うことはできない。
【００５４】
ビットマップフォーマット対応機Ｃ３３０の画像処理部Ｃ３３１、ビットマップフォーマット対応機Ｄ３４０の画像処理部Ｄ３４１は、ビットマップフォーマットでの画像処理のみ可能であり、ベクトルデータフォーマットでの処理はできない（処理不可能）。
【００５５】
前記ビットマップフォーマット画像処理は、図１におけるＣＰＵ１１０（ＲＯＭ１１２に格納されるプログラムに基づいて動作する）の指示に基づきＲＩＰ１５０部において実行される。なお、省電力モード時においては、前述したようにＣＰＵ１１０、ＲＩＰ１５０への電源が遮断される。このため、省電力モード時においては、ビットマップフォーマット対応機Ｃ３３０、ビットマップフォーマット対応機Ｄ３４０は、前記ビットマップフォーマット画像処理を行うことはできない。
【００５６】
ここで、ビットマップフォーマット、及び、ベクトルデータフォーマットについての説明を行う。
【００５７】
ビットマップフォーマットは、画像を画素の集合体として定義する。画素は、大きさをもつものである。そのため、ビットマップフォーマットの画質は、画像の解像度に依存する。所定の解像度における最適な（高画質の）画像に対して、拡大・縮小などの処理を行うと、ジャギー発生などの画像の劣化が生じる。
【００５８】
これに対し、ベクトルデータフォーマットは、画素の集合体として画像を定義するものではなく、点と線と多角形により画像を定義する。線は２つの点により定義され、多角形は複数の線により定義される。したがって、全ての画像は点によって定義されることとなる。点は、部分（大きさ）をもたないものである。このような点によって画像が定義されるため、拡大・縮小してもジャギーが発生することはなく、解像度に依存しない高画質の画像を得ることが可能である。
【００５９】
また、画像の解像度が高くなると、ビットマップフォーマットのデータ量は増大する。これに対し、ベクトルデータフォーマットでは、ビットマップフォーマットと比較すると、より小さなデータ量で高解像度の画像を定義することが可能である。
【００６０】
図４は、本実施形態における画像のベクトルデータ化処理の一例を説明するフローチャートであり、図３に示した画像処理部Ａ３１１，画像処理部Ｂ３２１により実行される。
【００６１】
まず、ステップＳ４０１において、画像処理部は、処理対象画像に対して、ブロックセレクション処理を行う。なお、ブロックセレクション処理とは、画像に含まれるオブジェクトの塊ごとにブロックに分割し、該分割された各ブロックにおいて文字（ＴＥＸＴ）、画像（ＰＨＯＴＯ）、線（ＬＩＮＥ）、図形（ＰＩＣＴＵＲＥ）、表（ＴＡＢＬＥ）等の属性を判定する処理である。
【００６２】
続いて、ステップＳ４０２〜S４０５における過程では、画像処理部は、上記ステップＳ４０１の過程で分割した各ブロックに対してベクトルデータ化に必要な処理をそれぞれ行う。以下、詳細に示す。
【００６３】
まず、ステップＳ４０２において、画像処理部は、上記ステップＳ４０１で文字と判定したブロックに対してＯＣＲ処理を行う。
【００６４】
そして、ステップＳ４０３において、画像処理部は、ＯＣＲ処理された文字ブロックに対して更に文字のサイズ、スタイル、字体等を認識し、処理対象画像中の文字に対して可視的に忠実なフォントデータに変換するベクトル化処理を行う。また、画像処理部は、線ブロック、図形ブロック、表ブロックに対してもアウトライン化することによりベクトル化処理を行う。
【００６５】
一方で、画像ブロックに対しては、ステップＳ４０４において、画像処理部が、画像ブロックをイメージデータとして別個のＪＰＥＧファイルとし画像処理を行う。
【００６６】
続いて、ステップＳ４０５において、画像処理部は、上記Ｓ４０１の過程でブロック化した各ブロックの属性及び位置情報や、上記Ｓ４０２〜Ｓ４０５の過程で抽出したＯＣＲ情報、フォント情報、ベクトル情報及び画像情報を、図５に示すベクトルデータフォーマットにまとめる（ベクトルデータの生成）。以上により、ベクトルデータ化処理を終了する。
【００６７】
図５は、図４に示したベクトルデータ化処理の結果得られたベクトルデータフォーマットのデータ構造の一例を示す図である。
【００６８】
図５において、５００はヘッダであり、処理対象の画像データに関する情報が保持される。５０１はレイアウト記述データ部であり、処理対象画像データ中の、文字、画像、線、図形、表等の属性毎に認識された各ブロックの属性情報とその矩形アドレス情報を保持する。
【００６９】
５０２は文字認識記述データ部であり、文字属性ブロックを文字認識して得られる文字認識結果（Ｓ４０２のＯＣＲ処理結果）を保持する。５０３は表記述データ部であり、表属性ブロックの構造の詳細を格納する。５０４は画像記述データ部であり、前述のイメージデータとして処理（Ｓ４０４の画像ブロック処理）された画像データを保持する。
【００７０】
図６は、図３に示したハードディスクＡ３１３、ハードディスクＢ３２３、ハードディスクＣ３３３、ハードディスクＤ３４３に保存されているデータの一例を示す図である。
【００７１】
図６において、６１０はベクトルデータフォーマットサムネイルＡであり、ハードディスクＡ３１３に保存されている前記各種画像のサムネイルデータである。このベクトルデータフォーマットサムネイルＡ６１０は、ベクトルデータフォーマット対応機Ａ３１０及びベクトルデータフォーマット対応機Ｂ３２０が処理可能なベクトルデータフォーマットで保存されている。
【００７２】
６３０はビットマップフォーマットサムネイルＣであり、ハードディスクＣ３３３に保存されている前記各種画像のサムネイルデータである。このビットマップフォーマットサムネイルＣ６３０は、ビットマップフォーマット対応機Ｃ３３０及びビットマップフォーマット対応機Ｄ３４０が処理可能なビットマップフォーマットで保存されている。
【００７３】
以下、図７〜図１４を参照して、本発明の第１実施形態における画像処理装置及び画像処理システムの動作を説明する。
【００７４】
図７は、本発明の第１実施形態における画像処理装置及び画像処理システムにおいて、ベクトルデータフォーマット対応機Ａ３１０が省電力モードに移行する際の動作（第１の制御動作）を説明するフローチャートである。なお、図７のフローチャートの処理は、ベクトルデータフォーマット対応機Ａ３１０のＣＰＵ１１０がＲＯＭ１１２に格納されるプログラムを実行することにより実現されるものである。また、図７においてＳ７００〜Ｓ７０９は各動作の過程を表す。
【００７５】
図８は、ベクトルデータフォーマット対応機Ａ３１０が取得した情報の一例を示す図である。前記取得した情報については後述する。
【００７６】
図９は、所定動作後のハードディスクＡ３１３、ハードディスクＢ３２３、ハードディスクＣ３３３、ハードディスクＤ３４３のデータの状態を示す図である。なお、前記所定動作については後述する。
【００７７】
図１０は、ベクトルデータフォーマット対応機Ａ３１０が取得した情報の一例を示す図である。
【００７８】
図１１は、所定動作後のハードディスクＡ３１３、ハードディスクＢ３２３、ハードディスクＣ３３３、ハードディスクＤ３４３のデータの状態を示す図である。なお、前記所定動作については後述する。
【００７９】
図１２は、所定動作後のビットマップフォーマット対応機Ｃ３３０の動作（第２の制御動作）を説明するフローチャートである。なお、図１２のフローチャートの処理は、ビットマップフォーマット対応機Ｃ３３０のＣＰＵ１１０がＲＯＭ１１２に格納されるプログラムを実行することにより実現されるものである。また、図１２においてＳ１２００〜Ｓ１２０３は各動作の過程を表す。なお、前記所定動作については後述する。
【００８０】
図１３は、所定動作後のハードディスクＡ３１３、ハードディスクＢ３２３、ハードディスクＣ３３３、ハードディスクＤ３４３のデータの状態を示す図である。なお、前記所定動作については後述する。
【００８１】
図１４は、ベクトルデータフォーマットサムネイルをベクトルデータフォーマット対応機Ｂ３２０の操作パネルＢ３２２上の画面に表示する際の動作を説明するフローチャートである。なお、図１４のフローチャートの処理は、ベクトルデータフォーマット対応機Ｂ３２０のＣＰＵ１１０がＲＯＭ１１２に格納されるプログラムを実行することにより実現されるものである。また、図１４においてＳ１４００〜Ｓ１４０７は各動作の過程を表す。
【００８２】
まず、図７〜図１１を用いて、ベクトルデータフォーマット対応機Ａ３１０が省電力モードに移行する際の動作（第１の取得処理、第１の判断処理、第２の判断処理、第１の送信処理等）を説明する。
【００８３】
ベクトルデータフォーマット対応機Ａ３１０における所定の省電力モード移行条件が整った場合、ベクトルデータフォーマット対応機Ａ３１０は、省電力モードへの移行を開始する（図７のＳ７００）。以下、図７のフローチャートに沿って説明する。
【００８４】
省電力モードへの移行開始直後、ステップＳ７０１において、ベクトルデータフォーマット対応機Ａ３１０は、ＬＡＮ１０５上のＭＦＰの情報を取得する。具体的には、ＬＡＮ１０５に接続されている各ＭＦＰの画像保存フォーマット及び省電力モードか否かの情報（電力状態情報）を取得する（第１の取得処理）。ベクトルデータフォーマット対応機Ａ３１０が取得した前記情報の一例を図８に示す。なお、画像保存フォーマットが「ベクトルデータフォーマット」のＭＦＰは、ベクトルデータフォーマットの画像データをビットマップフォーマットの画像データへの変換処理が実行可能である。一方、画像保存フォーマットが「ビットマップフォーマット」のＭＦＰは、ベクトルデータフォーマットの画像データをビットマップフォーマットの画像データへの変換処理が実行不能であることを示す。即ち、上記Ｓ７０１で取得される各ＭＦＰの画像保存フォーマットは、ベクトルデータフォーマットの画像データをビットマップフォーマットの画像データへ変換する変換処理が実行可能かどうかを示す変換情報に対応する。
【００８５】
前記Ｓ７０１の情報取得後、ステップＳ７０２において、ベクトルデータフォーマット対応機Ａ３１０は、Ｓ７０１で取得した情報に基づいて非省電力モードのベクトルデータフォーマット対応機（第１の画像処理装置）がＬＡＮ１０５上に存在するか否かを判断する（第１の判断処理）。
【００８６】
上記Ｓ７０２の判断において非省電力モードのベクトルデータフォーマット対応機がＬＡＮ１０５上に存在すると判断した場合（Ｓ７０２で"Ｙ"の場合）には、ベクトルデータフォーマット対応機Ａ３１０は、Ｓ７０３に処理を進める。
【００８７】
ステップＳ７０３では、ベクトルデータフォーマット対応機Ａ３１０は、自機ハードディスク上のベクトルデータフォーマットサムネイルを前記非省電力モードのベクトルデータフォーマット対応機に送信する。
【００８８】
例えば、上記ステップＳ７０１において取得されたＬＡＮ上のＭＦＰの情報が図８に示すように、ベクトルデータフォーマット対応機Ｂが非省電力モードであったとする。この場合、ベクトルデータフォーマット対応機Ａ３１０は、自機ハードディスク上のベクトルデータフォーマットサムネイルをベクトルデータフォーマット対応機Ｂ３２０に送信する。具体的には、図６におけるハードディスクＡ３１３上のベクトルデータフォーマットサムネイルＡ６１０をベクトルデータフォーマット対応機Ｂ３２０に送信する。ベクトルデータフォーマット対応機Ｂ３２０は、受信した前記ベクトルデータフォーマットサムネイルＡ６１０をハードディスクＢ３２３上に保存する（図９参照）。
【００８９】
上記ステップＳ７０３の処理を完了すると、続いてステップＳ７０４において、ベクトルデータフォーマット対応機Ａ３１０の画像処理部１００は、所定の部分の電源供給をＯＦＦにするように制御する。具体的には図２におけるスキャナ部１０１、プリンタ部１０２、ハードディスク１０３、操作パネル１０４に相当する部分の電源供給をＯＦＦにする。即ち、図３においては操作パネルＡ３１２、ハードディスクＡ３１３の電源供給をＯＦＦにする。図２における画像処理部１００、即ち図３における画像処理部Ａ３１１に関しては、図１を用いて前述したように所定の部分のみに電源供給を行い、その他の部分には電源供給をＯＦＦにする。即ち、図１におけるＲＡＭ１１１、ＬＡＮ制御部１１４、ＬＡＮ制御用ＣＰＵ１１５、モデム１１６に対してのみ電源が供給され、その他の部分の電源供給をＯＦＦにするように制御する。
【００９０】
前記電源供給ＯＦＦ後のベクトルデータフォーマット対応機Ａ３１０は、省電力モード移行処理を完了し（図７のＳ７０５）、省電力モード状態となる。
【００９１】
前述したようにベクトルデータフォーマット対応機Ａ３１０が、ベクトルデータフォーマットサムネイルＡ６１０をベクトルデータフォーマット対応機Ｂ３２０に送信し、更に電源供給ＯＦＦ動作をする。図９に前記電源供給ＯＦＦ動作後のハードディスクＡ３１３、ハードディスクＢ３２３、ハードディスクＣ３３３、ハードディスクＤ３４３に保存されているデータの状態を示す。図９において、ハードディスクＡ３１３は電源供給ＯＦＦとなっている。
【００９２】
以上説明してきたように、図７のＳ７０２の判断において非省電力モードのベクトルデータフォーマット対応機がある場合、ベクトルデータフォーマット対応機Ａ３１０はハードディスクＡ３１３上のベクトルデータフォーマットサムネイルＡ６１０をベクトルデータフォーマット対応機Ｂ３２０のハードディスクＢ３２３上に保存した後、省電力モード状態となる。
【００９３】
以下、上述した図７のステップＳ７０２に示した非省電力モードのベクトルデータフォーマット対応機がＬＡＮ１０５上にあるか否かの判断において、非省電力モードのベクトルデータフォーマット対応機がＬＡＮ１０５上に存在しないと判断した場合（Ｓ７０２で"Ｎ"の場合）について説明する。
【００９４】
この場合、ベクトルデータフォーマット対応機Ａ３１０は、ステップＳ７０６において、Ｓ７０１で取得した情報に基づいて、非省電力モードのビットマップフォーマット対応機（第２の画像処理装置）がＬＡＮ１０５上に存在するか否かを判断する（第２の判断処理）。
【００９５】
まず、図７のＳ７０６の判断において非省電力モードのビットマップフォーマット対応機が存在すると判定した場合（Ｓ７０６で"Ｙ"の場合）について説明する。一例として、図７のＳ７０１におけるＬＡＮ上のＭＦＰの情報取得結果が図１０に示す状態である場合について説明する。
【００９６】
この場合、ベクトルデータフォーマット対応機Ａ３１０は、ステップＳ７０７において、図６におけるハードディスクＡ３１３上のベクトルデータフォーマットサムネイルＡ６１０をビットマップフォーマットに変換する。具体的には、図３における画像処理部Ａ３１１においてビットマップフォーマットへの変換が行われる。なお、説明のため、ベクトルデータフォーマットサムネイルＡ６１０がビットマップフォーマットへ変換された後のデータをビットマップフォーマットサムネイルＡとする。
【００９７】
続いて、ステップＳ７０８において、ベクトルデータフォーマット対応機Ａ３１０は、前記ビットマップフォーマットサムネイルＡとベクトルデータフォーマットサムネイルＡ６１０の両方（双方）を非省電力モードのビットマップフォーマット対応機へ送信する。
【００９８】
例えば、上記ステップＳ７０１において取得されたＬＡＮ上のＭＦＰの情報が図１０に示すように、ビットマップフォーマット対応機Ｃが省電力モード、ビットマップフォーマット対応機Ｄが省電力モードであったとする。この場合、ＬＡＮ１０５上の非省電力モードのビットマップフォーマット対応機は、ビットマップフォーマット対応機Ｃ３３０である。
【００９９】
したがって、ベクトルデータフォーマット対応機Ａ３１０は、前記ビットマップフォーマットサムネイルＡとベクトルデータフォーマットサムネイルＡ６１０の両方をビットマップフォーマット対応機Ｃ３３０に送信する。
【０１００】
ビットマップフォーマット対応機Ｃ３３０では、受信した前記ビットマップフォーマットサムネイルＡとベクトルデータフォーマットサムネイルＡ６１０の両方をハードディスクＣ３３３に保存する。
【０１０１】
その後、ベクトルデータフォーマット対応機Ａ３１０は、所定の部分の電源供給をＯＦＦにし（図７のＳ７０４）、続いて省電力モード移行処理を完了し（図７のＳ７０５）、省電力モード状態となる。
【０１０２】
具体的な動作は前述同様である。前述したように、ベクトルデータフォーマット対応機Ａ３１０は、ビットマップフォーマットサムネイルＡとベクトルデータフォーマットサムネイルＡ６１０の両方をビットマップフォーマット対応機Ｃ３３０に送信し、省電力モードに移行する。図１１に前記省電力モード移行後のハードディスクＡ３１３、ハードディスクＢ３２３、ハードディスクＣ３３３、ハードディスクＤ３４３に保存されているデータの状態を示す。
【０１０３】
図１１に示す通り、ビットマップフォーマット対応機Ｃ３３０のハードディスクＣ３３３上には、ビットマップフォーマットサムネイルＡ１１００とベクトルデータフォーマットサムネイルＡ６１０の両方が保存されている。
【０１０４】
なお、図１０に示したようにベクトルデータフォーマット対応機Ｂ３２０及びビットマップフォーマット対応機Ｄ３４０は、省電力モード状態なので、ハードディスクＢ３２３及びハードディスクＤ３４３は電源供給ＯＦＦとなっている。
【０１０５】
以上説明してきたように、図７のＳ７０２の判断において非省電力モードのベクトルデータフォーマット対応機がなく、更に図７のＳ７０６の判断において非省電力モードのビットマップフォーマット対応機がある場合、ベクトルデータフォーマット対応機Ａ３１０はビットマップフォーマットサムネイルＡ１１００とベクトルデータフォーマットサムネイルＡ６１０の両方をビットマップフォーマット対応機Ｃ３３０のハードディスクＣ３３３上に保存した後、省電力モード状態となる。
【０１０６】
次に、前記図７のＳ７０６の判断において非省電力モードのビットマップフォーマット対応機が存在しないと判断した場合（Ｓ７０６で"Ｎ"の場合）について説明する。
【０１０７】
この場合、ベクトルデータフォーマット対応機Ａ３１０は、ステップＳ７０９において、省電力モードへの移行処理をキャンセル（中止）する。即ち、ベクトルデータフォーマット対応機Ａ３１０は、非省電力モードのままであり、ベクトルデータフォーマットサムネイルＡ６１０はハードディスクＡ３１３上に保存されたままとなる。
【０１０８】
以上に、ベクトルデータフォーマット対応機Ａ３１０が省電力モードに移行する際の動作を説明してきた。
【０１０９】
要約すると、ＬＡＮ１０５上に非省電力モードのベクトルデータフォーマット対応機がある場合、ベクトルデータフォーマット対応機Ａ３１０は、以下のように動作する。この場合、ベクトルデータフォーマット対応機Ａ３１０は、ベクトルデータフォーマットサムネイルＡ６１０をベクトルデータフォーマット対応機Ｂ３２０のハードディスクＢ３２３上に保存（送信）した後、省電力モード状態となる。
【０１１０】
また、ＬＡＮ１０５上に非省電力モードのベクトルデータフォーマット対応機はないが非省電力モードのビットマップフォーマット対応機がある場合、ベクトルデータフォーマット対応機Ａ３１０は、以下のように動作する。この場合、ベクトルデータフォーマット対応機Ａ３１０は、ビットマップフォーマットサムネイルＡ１１００とベクトルデータフォーマットサムネイルＡ６１０の両方をビットマップフォーマット対応機Ｃ３３０のハードディスクＣ３３３上に保存（送信）した後、省電力モード状態となる。
【０１１１】
いずれの場合も、ベクトルデータフォーマット対応機Ａ３１０が省電力モード状態となった後であっても、ベクトルデータフォーマットサムネイルＡ６１０は、本画像処理システムにおける非省電力モードのＭＦＰのハードディスク上に保存されることとなる。
【０１１２】
次に、図１２〜図１４を用いて、本画像処理システムにおけるビットマップフォーマット対応機Ｃ３３０の動作（第２の取得、第３の判断、第２の送信処理等）について説明する。
【０１１３】
前述したように、ベクトルデータフォーマット対応機Ａ３１０は、ビットマップフォーマットサムネイルＡ１１００とベクトルデータフォーマットサムネイルＡ６１０の両方をビットマップフォーマット対応機Ｃ３３０のハードディスクＣ３３３上に保存し、省電力モード状態となる。
【０１１４】
以下、前記ベクトルデータフォーマット対応機Ａ３１０が、省電力モード状態となった後のビットマップフォーマット対応機Ｃ３３０の動作について説明する。この動作のフローチャートを図１２に示す。
【０１１５】
まず、ビットマップフォーマット対応機Ｃ３３０は、ステップＳ１２００において、ＬＡＮ１０５上のＭＦＰの情報を取得する（第２の取得処理）。なお、ステップＳ１２００の情報取得処理は、前述のベクトルデータフォーマット対応機Ａ３１０によるＬＡＮ１０５上のＭＦＰの情報取得（図７のＳ７０１）と同様である。
【０１１６】
次に、ステップＳ１２０１において、ビットマップフォーマット対応機Ｃ３３０は、非省電力モードのベクトルデータフォーマット対応機（第３の画像処理装置）がＬＡＮ１０５上に存在するか否かを判断する（第３の判断）。そして、この判断において非省電力モードのベクトルデータフォーマット対応機がＬＡＮ１０５上に存在すると判定した場合（Ｓ１２０１で"Ｙ"の場合）には、ステップＳ１２０２に処理を進める。
【０１１７】
ステップＳ１２０２では、ビットマップフォーマット対応機Ｃ３３０は、ハードディスクＣ３３３上のベクトルデータフォーマットサムネイルを前記非省電力モードのベクトルデータフォーマット対応機に送信する（第２の送信処理）。
【０１１８】
続いて、ステップＳ１２０３において、ビットマップフォーマット対応機Ｃ３３０は、ハードディスクＣ３３３上のベクトルデータフォーマットサムネイル及びビットマップフォーマットサムネイルを削除する。なお、Ｓ１２０３で削除するビットマップフォーマットサムネイルは、上記Ｓ１２０２において送信したベクトルデータフォーマットサムネイルに対応するものを示す。
【０１１９】
例えば、図１１に示したような状態から、省電力モード状態であったベクトルデータフォーマット対応機Ｂ３２０が所定の条件により非省電力モードへと移行した場合を例として説明する。この場合、ビットマップフォーマット対応機Ｃ３３０は、図１２のＳ１２０１の判断において非省電力モードのベクトルデータフォーマット対応機がＬＡＮ１０５上に存在すると判断する。そして、ビットマップフォーマット対応機Ｃ３３０は、ハードディスクＣ３３３上のベクトルデータフォーマットサムネイルＡ６１０（図１１）をベクトルデータフォーマット対応機Ｂ３２０に送信する（Ｓ１２０２）。
【０１２０】
続いてビットマップフォーマット対応機Ｃ３３０は、ベクトルデータフォーマットサムネイルＡ６１０に対応するビットマップフォーマットサムネイルＡ１１００（図１１）及び上記ベクトルデータフォーマットサムネイルＡ６１０をハードディスクＣ３３３上から削除する（Ｓ１２０３）。
【０１２１】
一方、非省電力モードへと移行したベクトルデータフォーマット対応機Ｂ３２０は、前記ベクトルデータフォーマットサムネイルＡ６１０受信後、ハードディスクＢ３２３に受信したベクトルデータフォーマットサムネイルＡ６１０を保存する。このベクトルデータフォーマットサムネイルＡ６１０の保存後のハードディスクＡ３１３、ハードディスクＢ３２３、ハードディスクＣ３３３、ハードディスクＤ３４３の状態を図１３に示す。
【０１２２】
次に、図１２のステップＳ１２０１の判断において、非省電力モードのベクトルデータフォーマット対応機がＬＡＮ１０５上に存在しない場合について説明する。
【０１２３】
ステップＳ１２０１において、非省電力モードのベクトルデータフォーマット対応機がＬＡＮ１０５上にない場合は、ビットマップフォーマット対応機Ｃ３３０は、ステップＳ１２００に処理を戻す。即ち、ビットマップフォーマット対応機Ｃ３３０は、ＬＡＮ１０５上のＭＦＰの情報取得（Ｓ１２００）、非省電力モードのベクトルデータフォーマット対応機がＬＡＮ１０５上にあるか否かの判断（Ｓ１２０１）を繰り返す。本実施形態では所定時間ごとに前記動作が繰り返されるものとする。
【０１２４】
例えば、図１１に示したような状態において、ベクトルデータフォーマット対応機Ｂ３２０で省電力モード状態が維持されている場合を例として説明する。この場合、ビットマップフォーマット対応機Ｃ３３０は、図１２のＳ１２０１の判断において非省電力モードのベクトルデータフォーマット対応機がＬＡＮ１０５上にないと判断する。そして、ビットマップフォーマット対応機Ｃ３３０は、図１２のＳ１２００，Ｓ１２０１の処理を繰り返す。
【０１２５】
以上に本画像処理システムにおけるビットマップフォーマット対応機Ｃ３３０の動作について説明した。
【０１２６】
即ち、省電力モード状態であったベクトルデータフォーマット対応機Ｂ３２０が所定の条件により非省電力モードへと移行した場合、ビットマップフォーマット対応機Ｃ３３０は、ベクトルデータフォーマットサムネイルＡ６１０をベクトルデータフォーマット対応機Ｂ３２０に送信する。
【０１２７】
そして、ベクトルデータフォーマット対応機Ｂ３２０は、前記ベクトルデータフォーマットサムネイルＡ６１０受信後、ハードディスクＢ３２３に受信したベクトルデータフォーマットサムネイルＡ６１０を保存する。
【０１２８】
次に、ベクトルデータフォーマット対応機Ａ３１０が省電力モードに移行した後、ユーザがＬＡＮ１０５上のＭＦＰに保存されている画像のサムネイルを閲覧する際の動作について説明する。
【０１２９】
例えば、ユーザがベクトルデータフォーマット対応機Ｂ３２０の操作パネルＢ３２２を操作して操作パネルＢ３２２上の画面に前記サムネイルを表示させる場合の動作について説明する。
【０１３０】
まず、ベクトルデータフォーマット対応機Ａ３１０が省電力モードに移行した後、各ハードディスクのデータが図９の状態である場合を例に説明する。
【０１３１】
ユーザの操作パネルＢ３２２からサムネイル表示指示を受けると、ベクトルデータフォーマット対応機Ｂ３２０は、ＬＡＮ１０５上の各ＭＦＰに対してサムネイルを要求する。
【０１３２】
要求を受けた各ＭＦＰは、自機ハードディスク上の画像のサムネイルをベクトルデータフォーマット対応機Ｂ３２０に対して送信する。
【０１３３】
ベクトルデータフォーマット対応機Ｂ３２０は、各ＭＦＰからのサムネイルを受信し、該受信したサムネイルを操作パネルＢ３２２上の画面に表示する。
【０１３４】
図３及び図９を用いて具体的に説明すると、ベクトルデータフォーマット対応機Ｂ３２０は、ベクトルデータフォーマット対応機Ａ３１０、ビットマップフォーマット対応機Ｃ３３０、ビットマップフォーマット対応機Ｄ３４０に対してサムネイルを要求する。
【０１３５】
省電力モードに移行したベクトルデータフォーマット対応機Ａ３１０は、前述のように画像処理部Ａ３１１の所定の部分のみ電源が供給されており、その他の部分は電源供給ＯＦＦとなっている。
【０１３６】
なお、本実施形態におけるベクトルデータフォーマット対応機Ａ３１０は、前記要求を受けても、非省電力モード状態に復帰せず、ベクトルデータフォーマット対応機Ｂ３２０に対して所定の必要最低限の応答をするものとする。具体的に図１を用いて説明すると、省電力モードであっても電源が供給されているＬＡＮ制御部１１４、ＬＡＮ制御用ＣＰＵ１１５により、前記要求に対する応答が行われる。
【０１３７】
また、前記要求を受けたビットマップフォーマット対応機Ｃ３３０は、ハードディスクＣ３３３上のビットマップフォーマットサムネイルＣ６３０をベクトルデータフォーマット対応機Ｂ３２０に対して送信する。
【０１３８】
また、前記要求を受けたビットマップフォーマット対応機Ｄ３４０はハードディスクＤ３４３上にサムネイルを保存していないので、ベクトルデータフォーマット対応機Ｂ３２０に対して所定の応答のみをするものとする。
【０１３９】
ベクトルデータフォーマット対応機Ｂ３２０は、前記ビットマップフォーマット対応機Ｃ３３０からビットマップフォーマットサムネイルＣ６３０を受信する。そして、ベクトルデータフォーマット対応機Ｂ３２０は、受信したビットマップフォーマットサムネイルＣ６３０を画像処理部Ｂ３２１においてベクトルデータフォーマットのサムネイルに変換する。なお、図示しないが、変換後のデータをベクトルデータフォーマットサムネイルＣとする。
【０１４０】
さらに、ベクトルデータフォーマット対応機Ｂ３２０は、予めハードディスクＢ３２３上に保存されていたベクトルデータフォーマットサムネイルＡ６１０、及び、前記変換後のベクトルデータフォーマットサムネイルＣを操作パネルＢ３２２上の画面に表示する。
【０１４１】
ここで、図１４を参照して、ベクトルデータフォーマットサムネイルをベクトルデータフォーマット対応機Ｂ３２０の操作パネルＢ３２２上の画面に表示する際の動作を説明する。
【０１４２】
まず、図１４のステップＳ１４００において、ベクトルデータフォーマット対応機Ｂ３２０は、ベクトルデータフォーマットサムネイルのヘッダ５００（図５）の解析を行い、該解析結果に基づいて、処理対象画像の文書名、作成日時などの情報を取得する。
【０１４３】
続いて、ステップＳ１４０１において、ベクトルデータフォーマット対応機Ｂ３２０は、レイアウト記述データ部５０１（図５）を解析し、処理対象画像のオブジェクトブロックの属性及び位置に関する情報を取得する。
【０１４４】
続いて、ステップＳ１４０２において、ベクトルデータフォーマット対応機Ｂ３２０は、変換パラメータの算出を行う。ここで変換パラメータとは、処理対象のベクトルデータフォーマットサムネイルに対して、操作パネルＢ３２２に表示されるべきサムネイル画像サイズ、解像度に適合するよう拡大・縮小などの変換処理を行うためのパラメータである。
【０１４５】
続いて、ステップＳ１４０３において、ベクトルデータフォーマット対応機Ｂ３２０は、文字のラスタライズを行う。この文字ラスタライズは、文字属性ブロックのベクトルデータに対して前記算出された変換パラメータによるスケーリングを行い、スケーリングされたビットマップデータを生成するものである。
【０１４６】
続いて、ステップＳ１４０４において、ベクトルデータフォーマット対応機Ｂ３２０は、続いて表のラスタライズを行う。この表ラスタライズは、表属性ブロックのベクトルデータに対して前記文字ラスタライズ同様にスケーリングを行い、スケーリングされたビットマップデータを生成するものである。
【０１４７】
続いて、ステップＳ１４０５において、ベクトルデータフォーマット対応機Ｂ３２０は、イメージデータ画像のラスタライズを行う。このイメージデータ画像のラスタライズは、イメージデータ画像に対して前記パラメータによる拡大・縮小処理を行ったビットマップデータを生成するものである。
【０１４８】
次に、ステップＳ１４０６において、ベクトルデータフォーマット対応機Ｂ３２０は、サムネイル表示用のビットマップデータの合成を行う。具体的には、前記ラスタライズされた文字、表、画像のビットマップデータを上記Ｓ１４０１で解析したレイアウト情報に基づき合成する。この合成の結果、操作パネルＢ３２２に表示されるべきサムネイル画像サイズ、解像度のビットマップデータが得られる。
【０１４９】
そして、ステップＳ１４０７において、ベクトルデータフォーマット対応機Ｂ３２０は、Ｓ１４０６で合成された表示用ビットマップデータを操作パネルＢ３２２に表示する。
【０１５０】
なお、上記前記一連の動作は、ベクトルデータフォーマット対応機Ｂ３２０の画像処理部Ｂ３２１内のＣＰＵ１１０がＲＩＰ１５０、操作パネル制御部１１３を適宜制御することにより実行される。
【０１５１】
次に、ベクトルデータフォーマット対応機Ｂ３２０によるサムネイル表示のもう一例として、ベクトルデータフォーマット対応機Ａ３１０が省電力モードに移行した後、各ハードディスクのデータが図１１の状態である場合を例に説明する。
【０１５２】
ベクトルデータフォーマット対応機Ｂ３２０は、ベクトルデータフォーマット対応機Ａ３１０、ビットマップフォーマット対応機Ｃ３３０、ビットマップフォーマット対応機Ｄ３４０に対してサムネイルを要求する。
【０１５３】
前述した図９の状態の場合と同様に、ベクトルデータフォーマット対応機Ａ３１０は前記要求を受けても省電力モード状態のまま所定の応答をする。ビットマップフォーマット対応機Ｄ３４０も省電力モード状態であり、同様に前記要求を受けても省電力モード状態のまま所定の応答をするものとする。
【０１５４】
前記要求を受けたビットマップフォーマット対応機Ｃ３３０は、ハードディスクＣ３３３上のビットマップフォーマットサムネイルＣ６３０をベクトルデータフォーマット対応機Ｂ３２０に対して送信する。
【０１５５】
さらに、ビットマップフォーマット対応機Ｃ３３０は、ハードディスクＣ３３３上のビットマップフォーマットサムネイルＡ１１００、ベクトルデータフォーマットサムネイルＡ６１０のうち、ベクトルデータフォーマットサムネイルＡ６１０をベクトルデータフォーマット対応機Ｂ３２０に対して送信する。
【０１５６】
本実施形態におけるビットマップフォーマット対応機Ｃ３３０は、同一画像に対してビットマップフォーマットサムネイルＡ１１００、ベクトルデータフォーマットサムネイルＡ６１０の両方をハードディスクＣ３３３上に保存している場合、サムネイルを要求しているＭＦＰが対応可能なフォーマットの方を送信する。
【０１５７】
本実施形態では、前記サムネイル要求元ＭＦＰの対応可能フォーマットは、サムネイル要求元ＭＦＰがサムネイル要求先に所定の方法で通知するものとする。
【０１５８】
ベクトルデータフォーマット対応機Ｂ３２０は、前記受信したビットマップフォーマットサムネイルＣ６３０を画像処理部Ｂ３２１においてベクトルデータフォーマットサムネイルＣに変換する。
【０１５９】
さらに、ベクトルデータフォーマット対応機Ｂ３２０は、前記受信したベクトルデータフォーマットサムネイルＡ６１０及び前記変換後のベクトルデータフォーマットサムネイルＣを操作パネルＢ３２２上の画面に表示する。
【０１６０】
次に、ベクトルデータフォーマット対応機Ａ３１０が省電力モードに移行した後、ユーザがビットマップフォーマット対応機Ｄ３４０の操作パネルＤ３４２を操作して操作パネルＤ３４２上の画面にサムネイルを表示させる場合の動作について説明する。
【０１６１】
一例として、ベクトルデータフォーマット対応機Ａ３１０が省電力モードに移行した後、各ハードディスクのデータが図１１の状態である場合について説明する。
【０１６２】
ビットマップフォーマット対応機Ｄ３４０は、ベクトルデータフォーマット対応機Ａ３１０、ベクトルデータフォーマット対応機Ｂ３２０、ビットマップフォーマット対応機Ｃ３３０に対してサムネイルを要求する。
【０１６３】
前述同様、ベクトルデータフォーマット対応機Ａ３１０は前記要求を受けても省電力モード状態のまま所定の応答をする。ベクトルデータフォーマット対応機Ｂ３２０も省電力モード状態であり、同様に前記要求を受けても省電力モード状態のまま所定の応答をするものとする。
【０１６４】
前記要求を受けたビットマップフォーマット対応機Ｃ３３０は、ハードディスクＣ３３３上のビットマップフォーマットサムネイルＣ６３０をビットマップフォーマット対応機Ｄ３４０に対して送信する。
【０１６５】
前述したようにビットマップフォーマット対応機Ｃ３３０は、同一画像に対してビットマップフォーマット及びベクトルデータフォーマットの両方のサムネイルを保存している場合、サムネイル要求を要求しているＭＦＰが対応可能なフォーマットの方を送信する。したがって、ハードディスクＣ３３３上のビットマップフォーマットサムネイルＡ１１００、ベクトルデータフォーマットサムネイルＡ６１０のうち、ビットマップフォーマットサムネイルＡ１１００をビットマップフォーマット対応機Ｄ３４０に対して送信する。
【０１６６】
ビットマップフォーマット対応機Ｄ３４０は、ビットマップフォーマットサムネイルＡ１１００を受信する。そして、ビットマップフォーマット対応機Ｄ３４０は、前記受信した前記ビットマップフォーマットサムネイルＡ１１００及びビットマップフォーマットサムネイルＣ６３０を操作パネルＤ３４２上の画面に表示する。
【０１６７】
以上にベクトルデータフォーマット対応機Ａ３１０が省電力モードに移行した後、ユーザがＬＡＮ１０５上のＭＦＰに保存されている画像のサムネイルを閲覧する際の動作について説明してきた。
【０１６８】
ユーザがベクトルデータフォーマット対応機Ｂ３２０の操作パネルＢ３２２にサムネイルを表示させる場合は、ベクトルデータフォーマットサムネイルＡ６１０、即ちベクトルデータフォーマットによる画像でのサムネイル表示が可能となる。
【０１６９】
また、ビットマップフォーマット対応機Ｄ３４０の操作パネルＤ３４２にサムネイルを表示させる場合は、ビットマップフォーマットサムネイルＡ１１００、即ちビットマップフォーマットによる画像でのサムネイル表示が可能となる。
【０１７０】
以上に第１実施形態における本画像処理装置及び画像処理システムの動作を説明してきた。第１実施形態では、ベクトルデータフォーマット対応機Ａ３１０が省電力モード状態となった後であっても、ベクトルデータフォーマットサムネイルＡ６１０は、本画像処理システムにおける非省電力モードのＭＦＰのハードディスク上に保存されている。したがって、ベクトルデータフォーマット対応機Ｂ３２０からサムネイル閲覧する場合に、ベクトルデータフォーマット対応機Ａ３１０が省電力モード状態であっても、ベクトルデータフォーマットサムネイルＡ６１０を表示することが可能となる。前記ベクトルデータフォーマットサムネイルＡ６１０表示の際に、ベクトルデータフォーマット対応機Ａ３１０が省電力モード状態であるので、消費電力を低減する効果が得られる。
【０１７１】
一方、ビットマップフォーマット対応機Ｄ３４０からサムネイル閲覧する場合は、ベクトルデータフォーマット対応機Ａ３１０が省電力モード状態であってもビットマップフォーマットサムネイルＡ１１００を表示することが可能となる。この場合も、消費電力を低減する効果が得られる。
【０１７２】
以上のように、ネットワーク１０５上にベクトルデータフォーマットの画像データを処理可能なベクトルデータフォーマット対応画像処理装置と、ベクトルデータフォーマットの画像データを処理不可能なビットマップフォーマット対応画像処理装置とが混在している場合であっても、省電力状態のベクトルデータフォーマット対応画像処理装置を該省電力状態から復帰させることなく、ベクトルデータフォーマット対応画像処理装置で記憶される画像データをビットマップフォーマット対応画像処理装置で使用（例えば閲覧）可能となる。したがって、画像処理システム全体の消費電力を低減することが可能となる。さらに、ベクトルデータフォーマットで保存されたサムネイル画像を画像処理システム上にベクトルデータフォーマットで保存し続けることが可能となり、ベクトルデータフォーマットによる優位性を保つことが可能となる。
【０１７３】
〔第２実施形態〕
本実施形態では、ＬＡＮ上に、サムネイル画像を保存可能なサーバ装置を設け、画像処理装置が省電力モードに移行する際、サムネイル画像をサーバ装置に送信する構成について説明する。
【０１７４】
図１５は、本発明の第２の実施形態における画像処理装置及び画像処理システムの構成を示す図である。なお、図３と同一のものには同一の符号を付してある。以下、図３と異なる部分のみ説明する。
【０１７５】
図１５において、１５００はサーバであり、ハードディスク１５１０を備え、ＬＡＮ１０５に接続されている。なお、図１５では説明のため、サーバ１５００のハードディスクＳ１５１０以外の部分は省略しているが、パーソナルコンピュータやワークステーション等の情報処理装置の構成を有するものとする。また、後述するサーバ１５００の動作は、サーバ１５００のＣＰＵ（不図示）がハードディスクＳ１５１０等に記憶されたプログラムをＲＡＭ（不図示）にロードして実行することにより実現されるものである。
【０１７６】
図１６は、図１５におけるハードディスクＡ３１３、ハードディスクＢ３２３、ハードディスクＣ３３３、ハードディスクＤ３４３及びハードディスクＳ１５１０に保存されているデータを示す図である。なお、図１６に示すベクトルデータフォーマットサムネイルＡ６１０、ビットマップフォーマットサムネイルＣ６３０は上記第１実施形態と同様である。
【０１７７】
図１７は、本発明の第２の実施形態における画像処理装置及び画像処理システムにおいて、ベクトルデータフォーマット対応機Ａ３１０が省電力モードに移行する際の動作を説明するフローチャートである。なお、図１７のフローチャートの処理は、ベクトルデータフォーマット対応機Ａ３１０のＣＰＵ１１０がＲＯＭ１１２に格納されるプログラムを実行することにより実現されるものである。また、図１７において、Ｓ１７００〜Ｓ１７０４は各動作の過程を表す。
【０１７８】
以下、図１５〜図１７を用いて第２実施形態における本画像処理装置及び画像処理システムの動作を説明する。
【０１７９】
まず、ベクトルデータフォーマット対応機Ａ３１０が省電力モードに移行する際の動作を説明する。
【０１８０】
ベクトルデータフォーマット対応機Ａ３１０における所定の省電力モード移行条件が整った場合、ベクトルデータフォーマット対応機Ａ３１０は、省電力モードへの移行を開始する（図１７のＳ１７００）。
【０１８１】
省電力モードへの移行開始直後、ステップＳ１７０１において、ベクトルデータフォーマット対応機Ａ３１０は、ハードディスクＡ３１３上のベクトルデータフォーマットサムネイルＡ６１０（図１６）をビットマップフォーマットに変換する。即ち、第１実施形態同様、画像処理部Ａ３１１において前記ビットマップフォーマットへの変換を行う。該ビットマップフォーマットに変換されたものを、以下、ビットマップフォーマットサムネイルＡという。
【０１８２】
続いて、ステップＳ１７０２において、ベクトルデータフォーマット対応機Ａ３１０は、前記ビットマップフォーマットサムネイルＡとベクトルデータフォーマットサムネイルＡ６１０の両方をＬＡＮ１０５上のサーバ１５００に送信する。
【０１８３】
サーバ１５００は、ベクトルデータフォーマット対応機Ａ３１０から送信された前記ビットマップフォーマットサムネイルＡとベクトルデータフォーマットサムネイルＡ６１０を受信する。そして、サーバ１５００は、前記受信した前記ビットマップフォーマットサムネイルＡとベクトルデータフォーマットサムネイルＡ６１０の両方をハードディスクＳ１５１０に保存する。
【０１８４】
その後、ステップＳ１７０３において、ベクトルデータフォーマット対応機Ａ３１０は、所定の部分の電源供給をＯＦＦにし、省電力モード移行処理を完了し（Ｓ１７０４）、省電力モード状態となる。具体的な動作は第１実施形態同様である。
【０１８５】
前述したようにベクトルデータフォーマット対応機Ａ３１０は、省電力モードに移行する前に、ビットマップフォーマットサムネイルＡとベクトルデータフォーマットサムネイルＡ６１０の両方をサーバ１５００に送信し、省電力モードに移行する。
【０１８６】
図１８は、前記省電力モード移行後のハードディスクＡ３１３、ハードディスクＢ３２３、ハードディスクＣ３３３、ハードディスクＤ３４３に保存されているデータの状態を示す図である。
【０１８７】
図１８に示す通り、サーバ１５００のハードディスクＳ１５１０上には、ビットマップフォーマットサムネイルＡ１１００とベクトルデータフォーマットサムネイルＡ６１０の両方が保存されている。
【０１８８】
以上説明してきたように、本発明の第２実施形態では、ベクトルデータフォーマット対応機Ａ３１０は、ビットマップフォーマットサムネイルＡ１１００とベクトルデータフォーマットサムネイルＡ６１０の両方をサーバ１５００のハードディスクＳ１５１０上に保存した後に、省電力モード状態となる。
【０１８９】
次に、第２実施形態においてユーザがＭＦＰの操作パネルからのサムネイルを閲覧する際の動作について説明する。
【０１９０】
まず、ベクトルデータフォーマット対応機Ｂ３２０の操作パネルＢ３２２を操作して操作パネルＢ３２２上の画面にサムネイルを表示させる場合の動作について説明する。
【０１９１】
ユーザの操作パネルＢ３２２によるサムネイル表示指示後、ベクトルデータフォーマット対応機Ｂ３２０はＬＡＮ１０５上の各ＭＦＰ及びサーバ１５００に対してサムネイルを要求する。
【０１９２】
前記要求を受けたベクトルデータフォーマット対応機Ａ３１０、ビットマップフォーマット対応機Ｃ３３０、ビットマップフォーマット対応機Ｄ３４０の動作は第１実施形態と同様である。
【０１９３】
即ち、ベクトルデータフォーマット対応機Ａ３１０は、前記要求を受けても、非省電力モード状態に復帰せず、ベクトルデータフォーマット対応機Ｂ３２０に対して所定の応答をする。また、前記要求を受けたビットマップフォーマット対応機Ｃ３３０は、ハードディスクＣ３３３上のビットマップフォーマットサムネイルＣ６３０をベクトルデータフォーマット対応機Ｂ３２０に対して送信する。
【０１９４】
また、前記要求を受けたビットマップフォーマット対応機Ｄ３４０は、ハードディスクＤ３４３上にサムネイルを保存していないので、ベクトルデータフォーマット対応機Ｂ３２０に対して所定の応答のみをする。
【０１９５】
また、前記要求を受けたサーバ１５００は、ハードディスクＳ１５１０上のビットマップフォーマットサムネイルＡ１１００、ベクトルデータフォーマットサムネイルＡ６１０のうち、ベクトルデータフォーマットサムネイルＡ６１０をベクトルデータフォーマット対応機Ｂ３２０に対して送信する。本実施形態におけるサーバ１５００は、同一画像に対してビットマップフォーマットサムネイルＡ１１００、ベクトルデータフォーマットサムネイルＡ６１０の両方をハードディスクＳ１５１０上に保存している場合、サムネイルを要求しているＭＦＰが対応可能なフォーマットの方を送信する。
【０１９６】
本実施形態では、前記サムネイル要求元ＭＦＰの対応可能フォーマットはサムネイル要求元ＭＦＰがサーバ１５００に所定の方法で通知するものとする。
【０１９７】
ベクトルデータフォーマット対応機Ｂ３２０は、第１実施形態同様、前記受信したベクトルデータフォーマットサムネイルＡ６１０、及び、前記受信したビットマップフォーマットサムネイルＣ６３０を変換したベクトルデータフォーマットサムネイルＣを、操作パネルＢ３２２上の画面に表示する。
【０１９８】
次に、ビットマップフォーマット対応機Ｄ３４０の操作パネルＤ３４２を操作して操作パネルＤ３４２上の画面にサムネイルを表示させる場合の動作について説明する。
【０１９９】
ユーザの操作パネルＤ３４２によるサムネイル表示指示後、ビットマップフォーマット対応機Ｄ３４０はＬＡＮ１０５上の各ＭＦＰ及びサーバ１５００に対してサムネイルを要求する。
【０２００】
前記要求を受けたベクトルデータフォーマット対応機Ａ３１０、ベクトルデータフォーマット対応機Ｂ３２０、ビットマップフォーマット対応機Ｃ３３０の動作は次の通りである。
【０２０１】
ベクトルデータフォーマット対応機Ａ３１０は、前記要求を受けても、非省電力モード状態に復帰せず、ビットマップフォーマット対応機Ｄ３４０に対して所定の応答をする。また、前記要求を受けたベクトルデータフォーマット対応機Ｂ３２０はハードディスクＢ３２３上にサムネイルを保存していないので、ベクトルデータフォーマット対応機Ｂ３２０に対して所定の応答のみをするものとする。また、前記要求を受けたビットマップフォーマット対応機Ｃ３３０はハードディスクＣ３３３上のビットマップフォーマットサムネイルＣ６３０をビットマップフォーマット対応機Ｄ３４０に対して送信する。
【０２０２】
また、前記要求を受けたサーバ１５００は、ハードディスクＳ１５１０上のビットマップフォーマットサムネイルＡ１１００、ベクトルデータフォーマットサムネイルＡ６１０のうち、ビットマップフォーマットサムネイルＡ１１００をビットマップフォーマット対応機Ｄ３２０に対して送信する。前述したように、サーバ１５００は、同一画像に対してビットマップフォーマット及びベクトルデータフォーマットの両方のサムネイルを保存している場合、サムネイルを要求しているＭＦＰが対応可能なフォーマットの方を送信する。したがって、ハードディスクＳ１５１０上のビットマップフォーマットサムネイルＡ１１００、ベクトルデータフォーマットサムネイルＡ６１０のうち、ビットマップフォーマットサムネイルＡ１１００をビットマップフォーマット対応機Ｄ３４０に対して送信する。
【０２０３】
ビットマップフォーマット対応機Ｄ３４０は、受信した前記ビットマップフォーマットサムネイルＡ１１００、及び、ビットマップフォーマットサムネイルＣ６３０を操作パネルＤ３４２上の画面に表示する。
【０２０４】
以上に、第２実施形態におけるベクトルデータフォーマット対応機Ａ３１０が省電力モードに移行した後、ユーザがＬＡＮ１０５上のＭＦＰに保存されている画像のサムネイルを閲覧する際の動作について説明してきた。
【０２０５】
本実施形態でも、第１実施形態同様に、ベクトルデータフォーマット対応機Ｂ３２０によるサムネイル閲覧の場合はベクトルデータフォーマットによる画像でのサムネイル表示が可能となる。なお、ビットマップフォーマット対応機Ｄ３４０によるサムネイル閲覧の場合は、ビットマップフォーマットによる画像でのサムネイル表示が可能となる。
【０２０６】
以上に第２実施形態における本画像処理装置、サーバ及び画像処理システムの動作を説明してきた。
【０２０７】
本第２実施形態では、ベクトルデータフォーマット対応機Ａ３１０が省電力モード状態となった後であっても、ベクトルデータフォーマットサムネイルＡ６１０及びビットマップフォーマットサムネイルＡ１１００は、本画像処理システムにおけるサーバ１５００のハードディスクＳ１５１０上に保存されている。したがって、ベクトルデータフォーマット対応機Ｂ３２０からサムネイル閲覧する場合に、ベクトルデータフォーマット対応機Ａ３１０が省電力モード状態であっても、ベクトルデータフォーマットサムネイルＡ６１０を表示することが可能となる。この場合、前記ベクトルデータフォーマットサムネイルＡ６１０の表示の際に、ベクトルデータフォーマット対応機Ａ３１０が省電力モード状態であるので、消費電力を低減する効果が得られる。
【０２０８】
一方、ビットマップフォーマット対応機Ｄ３４０からサムネイル閲覧する場合は、ベクトルデータフォーマット対応機Ａ３１０が省電力モード状態であってもビットマップフォーマットサムネイルＡ１１００を表示することが可能となる。この場合も消費電力を低減する効果が得られる。
【０２０９】
〔第３実施形態〕
第２実施形態におけるサーバ１５００を所定のＭＦＰに置き換えることにより、本発明の第３実施形態の画像処理装置及び画像処理システムを構成可能である。
【０２１０】
図１９は、本発明の第３の実施形態における画像処理装置及び画像処理システムの構成を表す図である。なお、図３，図１５と同一のものには同一の符号を付してある。
【０２１１】
図１９において、１９００はベクトルデータフォーマット対応機Ｅである。ベクトルデータフォーマット対応機Ｅ１９００は、画像処理部Ｅ１９０１、操作パネルＥ１９０２、ハードディスクＥ１９０３を有しているＭＦＰであり、ＬＡＮ１０５に接続されている。なお、図１９では、説明のため、画像処理部Ｅ１９０１、操作パネルＥ１９０２、ハードディスクＥ１９０３以外の部分は省略している。
【０２１２】
ベクトルデータフォーマット対応機Ｅ１９００は、ベクトルデータフォーマット対応機Ａ３１０、ベクトルデータフォーマット対応機Ｂ３２０同様、ベクトルデータフォーマット及びビットマップフォーマットの画像を処理することが可能である。
【０２１３】
さらに、ベクトルデータフォーマット対応機Ｅ１９００は、ＬＡＮ１０５上において、画像データのサーバ機能を有するＭＦＰである。なお、ベクトルデータフォーマット対応機Ｅ１９００は、いかなる動作状態であっても前記サーバとして機能することが可能であるものとする。このような構成から明らかなように、第３実施形態では、前記ベクトルデータフォーマット対応機Ｅ１９００が上述の第２実施形態におけるサーバ１５００と同等の動作を行う。
【０２１４】
即ち、ベクトルデータフォーマット対応機Ｅ１９００は、いかなる動作状態であっても、他のＭＦＰからのサムネイル要求を受けると、ハードディスクＥ１９０３内に格納しているサムネイル画像を、前記サムネイル要求したＭＦＰに送信するように構成されている。この動作は、ベクトルデータフォーマット対応機Ｅ１９００のＣＰＵ１１０がＲＯＭ１１２に格納されるプログラムを実行することにより実現されるものである。
【０２１５】
図２０は、第３実施形態においてベクトルデータフォーマット対応機Ａ３１０が省電力モード状態となった後のハードディスクＡ３１３、ハードディスクＢ３２３、ハードディスクＣ３３３、ハードディスクＤ３４３、ハードディスクＥ３４０３のデータの状態を示す図である。
【０２１６】
上述した第２実施形態同様に、ベクトルデータフォーマット対応機Ａ３１０が省電力モード状態となった後であっても、ベクトルデータフォーマットサムネイルＡ６１０及びビットマップフォーマットサムネイルＡ１１００は、ベクトルデータフォーマット対応機Ｅ１９００のハードディスクＥ１９０３上に保存されている。したがって、本第３実施形態においても、上述した第２実施形態と同様の効果が得られる。
【０２１７】
なお、上述した各種データの構成及びその内容はこれに限定されるものではなく、用途や目的に応じて、様々な構成や内容で構成されることは言うまでもない。
【０２１８】
以上、一実施形態について示したが、本発明は、例えば、システム、装置、方法、プログラム若しくは記憶媒体等としての実施態様をとることが可能である。具体的には、複数の機器から構成されるシステムに適用しても良いし、また、一つの機器からなる装置に適用しても良い。
【０２１９】
なお、上記第１実施形態〜第３実施形態及びその変形例を有機的に組み合わせた構成も全て本発明に含まれるものである。
【０２２０】
以上に示したように、本実施形態の画像処理装置は、自装置で保持された画像データのフォーマットを扱える非省電力状態の他の装置が存在しない場合、前記特定のフォーマットを扱えない装置に対して、その装置で取扱い可能なフォーマットに画像データを変換した上で送信する。さらに、前記特定のフォーマットを扱えない装置に対して、自装置で保持された画像データそのもの（変換前のフォーマット）も送信しておくものである。このような構成により、ネットワーク上に異なるデータ形式の画像データを扱う画像処理装置が混在している場合でも（ベクトルデータフォーマット対応ＭＦＰとビットマップフォーマット対応ＭＦＰが混在している場合でも）、サムネイル閲覧時のように他のＭＦＰの保持する画像データを使用する際に、省電力モードのＭＦＰを省電力モードから通常動作モードへ復帰させることなく、各ＭＦＰ内に保持されている画像データを使用（サムネイル閲覧）することが可能となる。このように、サムネイル閲覧時等に省電力モードからの復帰を防止して、画像処理システム全体の消費電力を低減することが可能となる。
【０２２１】
さらに、ベクトルデータフォーマットで保存されたサムネイル画像を画像処理システム上にベクトルデータフォーマットで保存し続けることが可能となり、ベクトルデータフォーマットによる優位性（特性）を保つことが可能となる。
【０２２２】
なお、本実施形態では、異なるデータ形式として、ベクトルデータフォーマットとビットマップフォーマットを例にして説明したが、ベクトルデータフォーマットとビットマップフォーマット以外のデータ形式であっても本発明を適用可能である。
【０２２３】
また、ネットワーク上に異なるベクトルフォーマットやビットマップフォーマットの画像データを扱う画像処理装置が混在している場合でも、本発明は適用可能である。即ち、自装置で保持された画像データのフォーマットを扱える非省電力状態の他の装置が存在しない場合、前記特定のフォーマットを扱えない装置に対して、その装置で取扱い可能なフォーマットに画像データを変換した上で送信する。さらに、前記特定のフォーマットを扱えない装置に対して、自装置で保持された画像データそのもの（変換前のフォーマット）も送信しておくように構成する。
【０２２４】
以上説明したように、本実施形態では、ネットワーク上に異なるデータ形式の画像データを扱う画像処理装置が混在している場合でも、省電力状態の画像処理装置を該省電力状態から復帰させることなく、該画像処理装置で記憶される特定のデータ形式の画像データを他の画像処理装置で使用可能とし、ユーザの利便性を損なうことなく、特定のデータ形式の特性を維持した状態で画像処理システム全体の消費電力を低減することができる。
【０２２５】
以下、図２１に示すメモリマップを参照して、コンピュータを本発明に係る画像処理装置として機能させるためのプログラムを記録したコンピュータ読取り可能な記憶媒体（記録媒体）のメモリマップの構成について説明する。
【０２２６】
図２１は、コンピュータを本発明に係る画像処理装置として機能させるためのプログラムを記録したコンピュータ読取り可能な記録媒体（記憶媒体）のメモリマップを説明する図である。
【０２２７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０２２８】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０２２９】
本実施形態における図４，図７，図１２，図１４，図１７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０２３０】
以上のように、前述した実施形態の機能を実現するソフトウェアのプログラムコードを記録した記憶媒体を、システムあるいは装置に供給する。そして、そのシステムあるいは装置のコンピュータ（又はＣＰＵやＭＰＵ）が記憶媒体に格納されたプログラムコードを読出し実行することによっても、本発明の目的が達成されることは言うまでもない。
【０２３１】
この場合、記憶媒体から読み出されたプログラムコード自体が本発明の新規な機能を実現することになり、そのプログラムコードを記憶した記憶媒体は本発明を構成することになる。
【０２３２】
したがって、プログラムの機能を有していれば、オブジェクトコード、インタプリタにより実行されるプログラム、ＯＳに供給するスクリプトデータ等、プログラムの形態を問わない。
【０２３３】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０２３４】
この場合、記憶媒体から読出されたプログラムコード自体が前述した実施形態の機能を実現することになり、そのプログラムコードを記憶した記憶媒体は本発明を構成することになる。
【０２３５】
その他、プログラムの供給方法としては、クライアントコンピュータのブラウザを用いてインターネットのホームページに接続し、該ホームページから本発明のプログラムそのものをハードディスク等の記憶媒体にダウンロードすることによっても供給できる。また、該ホームページから圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやＦＴＰサーバ等も本発明の請求項に含まれるものである。
【０２３６】
また、本発明のプログラムを暗号化してＣＤ−ＲＯＭ等の記憶媒体に格納してユーザに配布する。さらに、所定の条件をクリアしたユーザに対し、インターネットを介してホームページから暗号化を解く鍵情報をダウンロードさせる。さらに、その鍵情報を使用することにより暗号化されたプログラムを実行してコンピュータにインストールさせて実現することも可能である。
【０２３７】
また、コンピュータが読み出したプログラムコードを実行することにより、前述した実施形態の機能が実現されるだけでなく、以下のような構成も含まれることは言うまでもない。例えば、そのプログラムコードの指示に基づき、コンピュータ上で稼働しているＯＳ（オペレーティングシステム）等が実際の処理の一部又は全部を行い、その処理によって前述した実施形態の機能が実現される場合も含まれることは言うまでもない。
【０２３８】
さらに、記憶媒体から読み出されたプログラムコードを、コンピュータに挿入された機能拡張ボードやコンピュータに接続された機能拡張ユニットに備わるメモリに書き込む。そして、該メモリに書き込まれたプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【０２３９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０２４０】
本発明は上記実施形態に限定されるものではなく、本発明の趣旨に基づき種々の変形（各実施形態の有機的な組合せを含む）が可能であり、それらを本発明の範囲から除外するものではない。
【０２４１】
本発明の様々な例と実施形態を示して説明したが、当業者であれば、本発明の趣旨と範囲は、本明細書内の特定の説明に限定されるのではない。
【０２４２】
なお、上述した各実施形態及びその変形例を組み合わせた構成も全て本発明に含まれるものである。
【０２４３】
以上説明したように、本実施形態では、ネットワーク上に異なるデータ形式の画像データを扱う画像処理装置が混在している場合でも、省電力状態の画像処理装置を該省電力状態から復帰させることなく、該画像処理装置で記憶される特定のデータ形式の画像データを他の画像処理装置で使用可能とし、ユーザの利便性を損なうことなく、特定のデータ形式の特性を維持した状態で画像処理システム全体の消費電力を低減することができる。
【図面の簡単な説明】
【０２４４】
【図１】本発明の第１実施形態における画像処理装置の構成を示す図である。
【図２】本発明の画像処理装置の各部の電源供給状態を説明するための図である。
【図３】本発明の第１実施形態における画像処理装置及び画像処理システムの構成を表す図である。
【図４】本実施形態における画像のベクトルデータ化処理の一例を説明するフローチャートである。
【図５】図４に示したベクトルデータ化処理の結果得られたベクトルデータフォーマットのデータ構造の一例を示す図である。
【図６】図３に示したハードディスクＡ３１３、ハードディスクＢ３２３、ハードディスクＣ３３３、ハードディスクＤ３４３に保存されているデータの一例を示す図である。
【図７】本発明の第１実施形態における画像処理装置及び画像処理システムにおいて、ベクトルデータフォーマット対応機Ａ３１０が省電力モードに移行する際の動作（第１の制御動作）を説明するフローチャートである。
【図８】ベクトルデータフォーマット対応機Ａ３１０が取得した情報の一例を示す図である。
【図９】所定動作後のハードディスクＡ３１３、ハードディスクＢ３２３、ハードディスクＣ３３３、ハードディスクＤ３４３のデータの状態を示す図である。
【図１０】ベクトルデータフォーマット対応機Ａ３１０が取得した情報の一例を示す図である。
【図１１】所定動作後のハードディスクＡ３１３、ハードディスクＢ３２３、ハードディスクＣ３３３、ハードディスクＤ３４３のデータの状態を示す図である。
【図１２】所定動作後のビットマップフォーマット対応機Ｃ３３０の動作（第２の制御動作）を説明するフローチャートである。
【図１３】所定動作後のハードディスクＡ３１３、ハードディスクＢ３２３、ハードディスクＣ３３３、ハードディスクＤ３４３のデータの状態を示す図である。
【図１４】ベクトルデータフォーマットサムネイルをベクトルデータフォーマット対応機Ｂ３２０の操作パネルＢ３２２上の画面に表示する際の動作を説明するフローチャートである。
【図１５】本発明の第２の実施形態における画像処理装置及び画像処理システムの構成を示す図である。
【図１６】図１５におけるハードディスクＡ３１３、ハードディスクＢ３２３、ハードディスクＣ３３３、ハードディスクＤ３４３及びハードディスクＳ１５１０に保存されているデータを示す図である。
【図１７】本発明の第２の実施形態における画像処理装置及び画像処理システムにおいて、ベクトルデータフォーマット対応機Ａ３１０が省電力モードに移行する際の動作を説明するフローチャートである。
【図１８】前記省電力モード移行後のハードディスクＡ３１３、ハードディスクＢ３２３、ハードディスクＣ３３３、ハードディスクＤ３４３に保存されているデータの状態を示す図である。
【図１９】本発明の第３の実施形態における画像処理装置及び画像処理システムの構成を表す図である。
【図２０】第３実施形態においてベクトルデータフォーマット対応機Ａ３１０が省電力モード状態となった後のハードディスクＡ３１３、ハードディスクＢ３２３、ハードディスクＣ３３３、ハードディスクＤ３４３、ハードディスクＥ３４０３のデータの状態を示す図である。
【図２１】コンピュータを本発明に係る画像処理装置として機能させるためのプログラムを記録したコンピュータ読取り可能な記録媒体のメモリマップを説明する図である。
【符号の説明】
【０２４５】
３１０    ベクトルデータフォーマット対応機Ａ
３１１    画像処理部Ａ
３１２    操作パネルＡ
３１３    ハードディスクＡ
３２０    ベクトルデータフォーマット対応機Ｂ
３２１    画像処理部Ｂ
３２２    操作パネルＢ
３２３    ハードディスクＢ
３３０    ビットマップフォーマット対応機Ｃ
３３１    画像処理部Ｃ
３３２    操作パネルＣ
３３３    ハードディスクＣ
３４０    ビットマップフォーマット対応機Ｄ
３４１    画像処理部Ｄ
３４２    操作パネルＤ
３４３    ハードディスクＤ
６１０    ベクトルデータフォーマットサムネイルＡ
６３０    ビットマップフォーマットサムネイルＣ
１１００    ビットマップフォーマットサムネイルＡ
１５００    サーバ
１５１０    ハードディスクＳ
１９００    ベクトルデータフォーマット対応機Ｅ
１９０１    画像処理部Ｅ
１９０２    操作パネルＥ
１９０３    ハードディスクＥ
【図１】
2010157928.tif 000003
【図２】
2010157928.tif 000004
【図３】
2010157928.tif 000005
【図４】
2010157928.tif 000006
【図５】
2010157928.tif 000007
【図６】
2010157928.tif 000008
【図７】
2010157928.tif 000009
【図８】
2010157928.tif 000010
【図９】
2010157928.tif 000011
【図１０】
2010157928.tif 000012
【図１１】
2010157928.tif 000013
【図１２】
2010157928.tif 000014
【図１３】
2010157928.tif 000015
【図１４】
2010157928.tif 000016
【図１５】
2010157928.tif 000017
【図１６】
2010157928.tif 000018
【図１７】
2010157928.tif 000019
【図１８】
2010157928.tif 000020
【図１９】
2010157928.tif 000021
【図２０】
2010157928.tif 000022
【図２１】
2010157928.tif 000023